(57)【特許請求の範囲】
【請求項１】
剛性材料からなる外筒本体と該外筒本体の中央に配した剛性材料からなる中央部材との間にゴム状弾性体を設けるとともに、該ゴム状弾性体の一方の端面側に粘性液体を封入するためのケーシングを設け、該ケーシング内の液室に前記中央部材と連動して動くように該中央部材に、伏せたおわん状に形成された減衰板を取付けた液体封入式防振ゴムにおいて、
前記液室内に粘性液体とともに不織布が、前記液室内における前記減衰板のおわん状内に充填され、かつ、前記不織布の上面が、前記減衰板と前記ケーシングとの間隙により形成される連通路の軸方向下端よりも高い位置にあることを特徴とする液体封入式防振ゴム。
【請求項２】
前記不織布の充填量が前記粘性液体に対し５〜２００重量％である請求項１記載の液体封入式防振ゴム。
【請求項３】
前記不織布が有機繊維である請求項１または２記載の液体封入式防振ゴム。
【請求項４】
前記不織布がポリエステル繊維である請求項３記載の液体封入式防振ゴム。
【請求項５】
前記粘性液体がエチレングリコールまたはシリコーンオイルである請求項１〜４のうちいずれか一項記載の液体封入式防振ゴム。
【発明の詳細な説明】
【０００１】
【発明の属する技術分野】
本発明は、車両用エンジンや船外機等から発生する振動を効果的に防止し得る液体封入式防振ゴムに関する。
【０００２】
【従来の技術】
従来より、車両用エンジンや船外機等から発生する、いわゆる周波数特性のある振動を効果的に防止するために液体封入式防振ゴムが使用されている。この液体封入式防振ゴムは、特に、共振を生じ得る低周波数領域の振動に対してエネルギーロスが大きく、かかる領域において大きな減衰力を発揮する。
【０００３】
従来の液体封入式防振ゴムとしては、例えば特開平７−１６７１９６号および特開平７−２８００２５号公報に開示されている、図２に示すものが知られている。これは、剛性材料からなる円筒形の外筒１とこの外筒１の中央に配した剛性材料からなる中央部材２との間にゴム状弾性体３を設たものである。中央部材２は、上端にスタッド９がねじ込まれて固着されるためのねじ孔が形成され、下端側にはボルト５がねじ込まれて固着されるためのねじ孔が形成された中実の筒体である。外筒１の上端には鍔部１Ａが、また下端には液体を封入するためのケーシング４が設けられている。ゴム状弾性体３の上部には半径方向の張り出し部３Ａが設けられ、この張り出し部３Ａは鍔部１Ａ上に焼付接着されている。張り出し部３Ａは中央部材２の下方向への移動力に対向するように作用する。ケーシング４内に位置するように中央部材２の下端にボルト５により減衰板６が取付けられている。この減衰板６は、おわんを伏せた形状に形成され、その両肩部分はゴム状弾性体３の下方に膨出するストッパ７に対向している。ケーシング４内には高粘度の液体が注入され、注入後に底蓋４Ａをケーシング４の側壁４Ｂの下端に封止することにより、ケーシング４内に液室８が形成されている。
【０００４】
【発明が解決しようとする課題】
従来の液体封入式防振ゴムにおいて所望の防振効果を得るには、高価な高粘度の液体を多量に用いなければならず、液体封入式防振ゴムの製造が非常にコスト高となっていた。
【０００５】
そこで、本発明の目的は、封入する液量を減らしても特定周波数領域の振動に対して大きなエネルギーロスが実現され、車両用エンジンや船外機等から発生する振動を良好に防止することのできる液体封入式防振ゴムを提供することにある。
【０００６】
【課題を解決するための手段】
本発明者らは、前記課題を解決すべく、液体封入式防振ゴムに高粘度の液体とともに封入し得る低コストの材料について鋭意検討した結果、不織布を充填することにより前記目的を達成し得ることを見出し、本発明を完成するに至った。即ち、本発明は下記の（１）〜（５）に示す通りである。
【０００７】
（１）剛性材料からなる外筒本体と該外筒本体の中央に配した剛性材料からなる中央部材との間にゴム状弾性体を設けるとともに、該ゴム状弾性体の一方の端面側に粘性液体を封入するためのケーシングを設け、該ケーシング内の液室に前記中央部材と連動して動くように該中央部材に、伏せたおわん状に形成された減衰板を取付けた液体封入式防振ゴムにおいて、
前記液室内に粘性液体とともに不織布が、前記液室内における前記減衰板のおわん状内に充填され、かつ、前記不織布の上面が、前記減衰板と前記ケーシングとの間隙により形成される連通路の軸方向下端よりも高い位置にあることを特徴とする液体封入式防振ゴムである。
【０００８】
（２）前記（１）の液体封入式防振ゴムにおいて、前記不織布の充填量が前記粘性液体に対し５〜２００重量％である液体封入式防振ゴムである。
【０００９】
（３）前記（１）または（２）の液体封入式防振ゴムにおいて、前記不織布が有機繊維である液体封入式防振ゴムである。
【００１０】
（４）前記（３）の液体封入式防振ゴムにおいて、前記不織布がポリエステル繊維である液体封入式防振ゴムである。
【００１２】
（５）前記（１）〜（４）のうちいずれかの液体封入式防振ゴムにおいて、前記粘性液体がエチレングリコールまたはシリコーンオイルである液体封入式防振ゴムである。
【００１３】
前記（１）により、封入する液量を減らしても特定周波数領域の振動に対して大きなエネルギーロスが実現され、車両用エンジンや船外機等から発生する振動を良好に防止することができる。また、不織布の使用により、繊維材料の充填作業の簡易化や適正量の充填が図れる。
【００１４】
前記（２）により、封入する液の減量と防振効果とを良好に両立させることが可能となる。
【００１５】
前記（３）、特には前記（４）により、高価な高粘度の液体の代替材として十分なる効果が得られる。
【００１７】
前記（５）により、封入する高粘度の液体としての最適化が図れる。
【００１８】
【発明の実施の形態】
以下、本発明の実施の形態について説明する。
本発明の液体封入式防振ゴムにおいては、封入する液体に繊維材料を充填することが重要であり、それ以外の構造や材質は特に制限されるべきものではない。従って、図２に示す従来タイプの構造のように、減衰板６により区分されるケーシング４内の２つの空間の間を連通させる孔を減衰板６に設けずに、減衰板６の周囲とケーシング４との間の間隙を液体が流れるように構成しても、あるいはまた減衰板６に孔があって（図示せず）その孔を介して液体が流れるように構成してもよい。いずれの場合においても、液室８内に高粘度の液体を注入する際に、一緒に繊維材料を充填することが重要である。
【００１９】
繊維材料の充填量は、封入する粘性液体に対し、好ましくは５〜２００重量％である。この充填量が５重量％未満では大きなエネルギーロスが得られなくなる。一方、２００重量％を超えるとコスト低減につながらない。
【００２０】
充填する繊維材料は、コスト的に安価であり、かつ耐熱性を有する有機繊維、例えばポリアミド、ポリエステル、ポリエチレン等が好ましく、特にはポリエチレンテレフタレート（ＰＥＴ）のようなポリエステル繊維が好ましい。また、ロックウール、ガラス繊維等の無機繊維、金属繊維等も使用可能である。繊度としては、１〜１００デニールのものが好適である。
【００２１】
また、充填する繊維材料の形態は、不織布または毛玉状のものが好ましく、特には不織布とすることが好適である。不織布は１枚に限らず、複数枚充填してもよい。図１に、図２に示すタイプの液体封入式防振ゴムの液室８に粘性液体１０とともに不織布１１を封入した状態を示す。
【００２２】
本発明において封入する粘性液体は、従来より慣用されているものを用いることができ、例えば、エチレングリコールやシリコーンオイルが使用に適する。液室８内に液体を封入した状態では若干空気が残る。若干の空気が残っていた方が、ゴム状弾性体が変形して液室８を圧縮する際、液室内の内圧上昇が防止でき、従ってバネ定数の上昇が防止でき、また高粘性流体を封入したときに流体の動きがスムースとなる。即ち、高粘性流体は極めて固く（バネ定数が高く）、そのため若干の空気が残っていた方が減衰板６と液室８との間の間隔での流体の流れがスムースとなる。
【００２３】
【実施例】
以下に、本発明を実施例に基づき説明する。
図２に示す構造の液体封入式防振ゴムに下記の表１に示す条件下で粘性液体および繊維材料を封入して、夫々周波数８Ｈｚにおけるエネルギーロス（ｔａｎδ）を測定した。得られた結果を下記の表１に示す。
【００２４】
【表１】
0004408147.tif 000002
【００２５】
【発明の効果】
以上説明したように、本発明によれば、液体封入式防振ゴムに高粘度の液体とともに繊維材料を充填したことにより、封入する液量を減らしても特定周波数領域の振動に対して大きなエネルギーロスが実現され、車両用エンジンや船外機等から発生する振動を良好に防止することができる。また、その繊維材料を不織布形態とすることにより、当該繊維材料の充填作業の簡易化や適正量の充填化を容易に行うことができる。
【図面の簡単な説明】
【図１】繊維材料が充填された液体封入式防振ゴムの拡大断面図である。
【図２】液体封入式防振ゴムの断面図である。
【符号の説明】
１  外筒本体
２  中央部材
３  ゴム状弾性体
４  ケーシング
４Ａ  底蓋
４Ｂ  側壁
５  ボルト
６  減衰板
７  ストッパ
８  液室
９  スタッド
１０  粘性液体
１１  不織布
【図１】
0004408147.tif 000003
【図２】
0004408147.tif 000004